(57)【要約】【課題】清掃具本体をワンタッチで収納することができる粘着式清掃具を安価に提供する。【解決手段】粘着テープロール４を回転可能に支持する清掃具本体２と、同清掃具本体２に対して着脱自在に取り付けられる保管用カバー３０とを備える粘着式清掃具１であって、保管用カバー３０は、設置面に自立した状態で載置される第１カバー部材３１と、第１カバー部材３１に対して開閉可能に取り付けられる第２カバー部材３２とを含み、第２カバー部材３２の回転軸３２６を第１カバー部材３１の中心軸線を通る垂直軸線に対して２０〜７０°の範囲内に設ける。【選択図】　図７
2004073562.tif 000002
【特許請求の範囲】
【請求項１】
一方の面に粘着面を有する粘着テープをその粘着面が表側に向けて露出するように多重に巻回してなる粘着テープロールと、一端側に上記粘着テープロールを回転可能に支持するテープ支持部を備え、他端側に手によって把持されるグリップ部を有する支持シャフトとを含む清掃具本体と、
内部に上記粘着テープロールが収納されるテープ収納部を有し、不使用時に上記粘着面を汚れから保護する保管用カバーとを備える粘着式清掃具において、
上記保管用カバーは、所定の設置面上に自立した状態で載置される脚部を有する第１カバー部材と、同第１カバー部材に対して開閉可能に取り付けられる第２カバー部材とを有し、
上記第１カバー部材は、上記脚部の片側に上記粘着テープロールを出し入れするための開口部を残して、上記粘着テープロールの周面に沿うようにほぼ円弧状に形成された第１保護板と、同第１保護板の両端に一体に形成された一対の第１端板とを有し、
上記第２カバー部材は、上記粘着テープロールの周面に沿うようにほぼ半円弧状に形成され、上記第１カバー部材の開口部に開閉可能に取り付けられる第２保護板と、上記第２保護板の両端に一体に形成され、少なくともその一部が上記各第１端板と重なり合う一対の第２端板とを備え、
上記第１カバー部材の各第１端板と上記第２カバー部材の各第２端板との間に、上記第２カバー部材を開閉可能に支持する軸支手段が設けられていることを特徴とする粘着式清掃具。
【請求項２】
上記軸支手段は、上記各第１端板の中心軸線を中心とする同心円上に配置され、上記中心軸線を通る垂直軸線に対して２０〜７０°の範囲内に設けられていることを特徴とする請求項１に記載の粘着式清掃具。
【請求項３】
上記第１および第２保護板の上端縁側には、上記各カバー部材を閉状態としたときに、上記支持シャフトの一部を挟み込んで支持する第１および第２支持板が互いに平行に立設されており、上記第２支持板は上記第１支持板よりも高く形成されている請求項１または２に記載の粘着式清掃具。
【請求項４】
上記各保護板の上記粘着面に対する対向面側には、所定間隔をもってリブが突設されている請求項１，２または３に記載の粘着式清掃具。
【請求項５】
上記保管用カバーの底部には、商品展示用の吊下手段が一体に設けられている請求項１ないし４のいずれか１項に記載の粘着式清掃具。
【請求項６】
一方の面に粘着面を有する粘着テープをその粘着面が表側に向けて露出するように多重に巻回してなる粘着テープロールをその支持具に取り付けた状態で、不使用時に上記粘着面を汚れから保護する保管用カバーにおいて、
上記保管用カバーは、所定の設置面上に自立した状態で載置される脚部を有する第１カバー部材と、同第１カバー部材に対して開閉可能に取り付けられる第２カバー部材とを有し、
上記第１カバー部材は、上記脚部の片側に上記粘着テープロールを出し入れするための開口部を残して、上記粘着テープロールの周面に沿うようにほぼ円弧状に形成された第１保護板と、同第１保護板の両端に一体に形成された一対の第１端板とを有し、
上記第２カバー部材は、上記粘着テープロールの周面に沿うようにほぼ半円弧状に形成され、上記第１カバー部材の開口部に開閉可能に取り付けられる第２保護板と、上記第２保護板の両端に一体に形成され、少なくともその一部が上記各第１端板と重なり合う一対の第２端板とを備え、
上記第１カバー部材の各第１端板と上記第２カバー部材の各第２端板との間に、上記第２カバー部材を開閉可能に支持する軸支手段が設けられていることを特徴とする保管用カバー。
【発明の詳細な説明】
【０００１】
【発明の属する技術分野】
本発明は、粘着テープロールを使用した清掃具本体と、清掃具本体の不使用時に粘着テープロールを保管する保管用カバーとからなる粘着式清掃具に関し、さらに詳しく言えば、清掃具本体を保管用カバー内にワンタッチで収納することができる粘着式清掃具に関する。
【０００２】
【従来の技術】
例えば、絨毯などに絡み付いた毛髪や埃などのごみは、電気掃除機で吸引除去しようとしても、なかなか上手に取ることができない。また、食べかすなど一寸したごみを取る場合、電気掃除機をいちいち取り出してきて清掃するのに面倒を覚えることがある。
【０００３】
このような場合、粘着テープロールを使った粘着式清掃具は手軽で便利であり、各家庭などにおいて普及されている。図１１（ａ）および（ｂ）にその一例を示す。すなわち、この粘着式清掃具１は、粘着テープロール４を回転可能に支持する清掃具本体２と、同粘着テープロール４を収納する保管用カバー３とを備えている。
【０００４】
粘着テープロール４は、紙製や樹脂製などの帯状テープの一方の面を粘着面とし、その粘着面を表側（外側）にして巻回したものであり、床などの被清掃面上を転がすことにより、ごみを簡単に取ることができる。
【０００５】
通常、この種の粘着テープロール４はスペアテープは別として、専用の清掃具本体２に装着された状態で販売され、実際にはこの清掃具本体２を使って清掃に供される。この清掃具本体２は、一般的な構成として、粘着テープロール４を回転可能に支持するテープ支持部５を備え、このテープ支持部５には、先端に手によって把持されるグリップ部６を有する支持シャフト７が連結されている。
【０００６】
また、この種の粘着式清掃具１には、不使用時に粘着テープロール４の粘着面を保護して保管しておくための保管用カバー３が付属されている。保管用カバー３は、例えば二つ割りの中空な半円筒体からなる第１カバー部材３１および第２カバー部材３２をヒンジ手段３３を介して連結したものからなり、各カバー部材３１，３２を互いに付き合わせて形成されたテープ収納部３４内に粘着テープロール３を保管するようにしたものが一般的である。
【０００７】
この保管用カバー３に粘着テープロール４を収納するには、粘着テープロール４を各カバー部材３１，３２のヒンジ手段３３に向けて押し当てることにより、各カバー部材３１，３２の開放端側が起き上がり、保管用カバー３内に粘着テープロール４がワンタッチで格納される。
【０００８】
【発明が解決しようとする課題】
しかしながら、この種の保管用カバー３には、次のような問題があった。すなわち、この保管用カバー３は、対称形状の各カバー部材３１，３２をそれぞれ薄肉ヒンジからなるヒンジ手段３３によって連結していたため、経年使用するにつれヒンジ手段３３が弾性を失い、図１１（ａ）に示すように、各カバー部材３１，３２の開口部がほぼ水平な状態にまで開いてしまう。
【０００９】
そのため、水平状態になったままの各カバー部材３１，３２を起立させるためには、ヒンジ手段３３に向けて粘着テープロール４を強く押し付けなくてはならず、軽い力でワンタッチで閉じることは困難であった。
【００１０】
また、この粘着式清掃具１は保管用カバー３内に清掃具本体２を収納し、さらに保管用カバー３を覆うようにプラスチック製の図示しない陳列用カバーを被せた状態で出荷される。
【００１１】
通常、この化粧カバーには、吊下陳列用のフック部が設けられおり、フック部を介して粘着式清掃具１を陳列棚に吊り陳列することができる。しかしながら、化粧カバーにフック部を設けるなどした場合、金型や部品工数が複雑になり、コスト高になることは否めない。
【００１２】
そこで、本発明は上述した課題を解決するためになされたものであって、その目的は、清掃具本体をより簡単かつ清潔に保管用カバーに収納することができる粘着式清掃具を提供することにある。また、第２の目的として、吊下陳列することができる粘着式清掃具をより安価に生産する。
【００１３】
【課題を解決するための手段】
上述した目的を達成するため、本発明は、一方の面に粘着面を有する粘着テープをその粘着面が表側に向けて露出するように多重に巻回してなる粘着テープロールと、一端側に上記粘着テープロールを回転可能に支持するテープ支持部を備え、他端側に手によって把持されるグリップ部を有する支持シャフトとを含む清掃具本体と、内部に上記粘着テープロールが収納されるテープ収納部を有し、不使用時に上記粘着面を汚れから保護する保管用カバーとを備える粘着式清掃具において、
上記保管用カバーは、所定の設置面上に自立した状態で載置される脚部を有する第１カバー部材と、同第１カバー部材に対して開閉可能に取り付けられる第２カバー部材とを有し、上記第１カバー部材は、上記脚部の片側に上記粘着テープロールを出し入れするための開口部を残して、上記粘着テープロールの周面に沿うようにほぼ円弧状に形成された第１保護板と、同第１保護板の両端に一体に形成された一対の第１端板とを有し、上記第２カバー部材は、上記粘着テープロールの周面に沿うようにほぼ半円弧状に形成され、上記第１カバー部材の開口部に開閉可能に取り付けられる第２保護板と、上記第２保護板の両端に一体に形成され、少なくともその一部が上記各第１端板と重なり合う一対の第２端板とを備え、上記第１カバー部材の各第１端板と上記第２カバー部材の各第２端板との間に、上記第２カバー部材を開閉可能に支持する軸支手段が設けられていることを特徴としている。
【００１４】
本発明の好ましい態様として、上記軸支手段は、上記各第１端板の中心軸線を中心とする同心円上に配置され、上記中心軸線を通る垂直軸線に対して２０〜７０°の範囲内に設けられていることがよい。
【００１５】
これによれば、第２カバー部材を開いたときの開口面積が最大となり、清掃具本体の取り出しおよび収納が簡単にかつワンタッチで行うことができる。軸位置が１５°未満の場合は、第２カバー部材は半分しか開くことができず、清掃具本体を取り出すことが困難になる。逆に、軸位置が７０°よりも大きい場合は、第２カバー部材は裏返るため、清掃具本体の取り出しは可能であるが、ワンタッチで収納することは困難となる。
【００１６】
ここで、本発明のいう「開口部」とは、少なくとも未だ一度も未使用されていない状態、すなわち工場出荷状態における粘着テープロールが出し入れ可能な大きさの開口を言う。
【００１７】
より好ましい態様として、上記第１および第２保護板の上端縁側には、上記各カバー部材を閉状態としたときに、上記支持シャフトの一部を挟み込んで支持する第１および第２支持板が互いに平行に立設されており、上記第２支持板は上記第１支持板よりも長く形成されている。これによれば、第２支持板側が長く張り出されているので、テコの原理によって、より小さい力で第２カバー部材を開くことができる。
【００１８】
各カバー部材の内面に粘着テープロールの粘着面が付着しないようにするためにも、上記各保護板の上記粘着面に対する対向面側には、所定間隔をもってリブが突設されていることが好ましい。
【００１９】
また、上記保管用カバーの底部には、商品展示用の吊下手段が一体に設けられていることが好ましい。これによれば、出荷時に保管用カバーを覆う化粧カバーを簡素化することができ、より安価に粘着式清掃具を提供することができる。
【００２０】
本発明には、保管用カバー自体の発明も含まれる。すなわち、一方の面に粘着面を有する粘着テープをその粘着面が表側に向けて露出するように多重に巻回してなる粘着テープロールをその支持具に取り付けた状態で、不使用時に上記粘着面を汚れから保護する保管用カバーにおいて、上記保管用カバーは、所定の設置面上に自立した状態で載置される脚部を有する第１カバー部材と、同第１カバー部材に対して開閉可能に取り付けられる第２カバー部材とを有し、上記第１カバー部材は、上記脚部の片側に上記粘着テープロールを出し入れするための開口部を残して、上記粘着テープロールの周面に沿うようにほぼ円弧状に形成された第１保護板と、同第１保護板の両端に一体に形成された一対の第１端板とを有し、上記第２カバー部材は、上記粘着テープロールの周面に沿うようにほぼ半円弧状に形成され、上記第１カバー部材の開口部に開閉可能に取り付けられる第２保護板と、上記第２保護板の両端に一体に形成され、少なくともその一部が上記各第１端板と重なり合う一対の第２端板とを備え、上記第１カバー部材の各第１端板と上記第２カバー部材の各第２端板との間に、上記第２カバー部材を開閉可能に支持する軸支手段が設けられていることを特徴としている。
【００２１】
【発明の実施の形態】
次に、本発明の粘着式清掃具について図面を参照しながら説明する。図１〜図５は、本発明の一実施形態に係る粘着式清掃具の保管用カバーの正面図、背面図、平面図、底面図および左側面図で、図６は保管用カバーに清掃具本体を収納した状態の斜視図で、図７はカバーを開いた状態の分解斜視図である。なお、上述した図９に示した従来例と同一もしくは同一と見なされる箇所には同じ参照符号を付した。
【００２２】
この粘着式清掃具１０は、図７に示すように、粘着テープロール４を回転可能に支持する清掃具本体２と、同清掃具本体２に対して着脱自在に取り付けられる保管用カバー３０とを備えている。
【００２３】
清掃具本体２は、粘着テープロール４の巻芯に沿って挿入されるテープ支持部（テープ支持ローラ）２１と、一端側で上記テープ支持部２１を回転可能に軸支し、他端が手によって把持されるグリップ部２３に連結された支持シャフト２２とを備えている。
【００２４】
粘着テープロール４は、帯状の粘着テープを粘着面が表側を向くように図示しない巻芯に沿って多重に巻回したものからなり、この実施形態において、ほぼ１周長毎に汚れた粘着テープを切り離すための図示しない切れ目が設けられている。
【００２５】
本発明において、粘着テープの材質や形状、または切れ目の構造はあくまで任意的な構成要素であって、通常の絨毯・カーペット用のほか、フローリング用、畳用など被清掃面の仕様に応じて適宜変更可能である。
【００２６】
支持シャフト２２は、一端から他端にかけて所定形状に折曲もしくは湾曲された金属棒からなり、上記テープ支持部２１を回転可能に軸支する軸支部２２１と、同軸支部２２１から粘着テープロール４の外形に沿ってほぼＵ字状に折り曲げられた湾曲部２２２と、同湾曲部２２２から折曲部２２３を介してほぼ直角に折り曲げられ、他端側がグリップ部２３に接続されるステム２２４とから構成されている。
【００２７】
この実施形態において、ステム２２４は入れ子式の伸縮ポールからなり、ステム２２４を伸縮することにより、ステム２２４の長さを約５０〜１００ｃｍの範囲で調節することができる。
【００２８】
また、このステム２２４の内部には、伸縮ポールの移動を規制するロック機構が内蔵されており、ステム２２４を所望の長さ位置で固定することができる。
【００２９】
この実施形態において、ステム２２４は入れ子式の伸縮ポールを採用しているが、これ以外に、単なる一定長さの金属棒であってもよく、ステムの材質や構造については特に限定されない。
【００３０】
グリップ部２３は、合成樹脂の成型品からなり、手で把持しやすいように若干扁平な棒状体に形成されている。この実施形態において、グリップ部２３の上端側には、例えばフックなどの吊下具に引っ掛けたり、紐を結ぶための吊下孔２３１が設けられている。
【００３１】
保管用カバー３０は、所定の設置面上に載置され、粘着テープロール４を出し入れ可能な開口部３００を有する第１カバー部材３１と、同第１カバー部材３１の開口部３００に対して開閉可能に取り付けられる第２カバー部材３２とを有し、各カバー部材３１，３２はともにポリプロピレンなどの合成樹脂の成型品からなる。なお、本発明にはこの保管用カバー３０自体の発明も含まれる。
【００３２】
第１カバー部材３１は、粘着テープロール４の粘着面に沿うように半円弧状に形成された第１保護板３１１と、第１保護板３１１の両端に一体に形成された一対の第１端板３１２，３１３とを有し、第１カバー部材３１の底部には、この保管用カバー３０を所定の設置面（例えば床面）に自立した状態で支持するための脚部３１４が一体に設けられている。
【００３３】
第１保護板３１１の内周面には、粘着テープロール４の粘着面の貼り付きを防止するためのリブ３１５が軸方向に所定間隔もって複数、この実施形態では４カ所に立設されている。
【００３４】
開口部３００は、脚部３１４の片側から第１カバー部材３１の上端に至るまで形成されており、少なくとも未だ一度も未使用されていない状態、すなわち工場出荷状態における粘着テープロールが出し入れ可能な大きさに設けられている。
【００３５】
第１保護板３１１は、一端側が脚部３１４の底部に沿って脚の先端まで延設されている。他端側は、第２カバー部３２を閉じた際に支持シャフト２２を挟み込んで支持する支持部３３の一方の支持板（第１支持板３３１）としてほぼ直角に折り曲げられている。
【００３６】
各第１端板３１２，３１３は、粘着テープロール４の初期最大外径よりも大きな円盤状に形成され、第１保護板３１１の開口部３００の側面を塞ぐように形成されている。
【００３７】
この各第１端板３１２．３１３には、一方の軸受手段としての軸受孔３１６がそれぞれ相対位置に設けられており、各軸受孔３１６は、第２カバー部材３２に設けられた回転軸３２６を軸支する。
【００３８】
軸受孔３１６は、第１端板３１２，３１３の中心軸線を中心とする同心円上に配置され、その中心軸線を通る垂直軸線Ｌに対して所定角θ（好ましくは２０°≦θ≦７０°）ずらされた位置に設けられており、この実施形態ではより好ましい角度であるθ＝４０°の位置に設けられている。
【００３９】
なお、軸位置が１５°未満の場合は、図９（ｂ）に示すように、第２カバー部材３２は半分しか開くことができず、清掃具本体２を取り出すことが困難になる。逆に、軸位置が７０°よりも大きい場合は、図９（ｃ）に示すように、第２カバー部材３２は裏返るため、清掃具本体２の取り出しは可能であるが、ワンタッチ収納は困難になる。
【００４０】
各第１端板３１２，３１３の内面側には凸部３１７が設けられており、凸部３１７が第２端板３２２，３２３の外面に設けられた凹部３２７に係合することにより、第２カバー部材３２を閉じた際に、第２カバー部材３２の開閉をロックする。
【００４１】
図５に示すように、各第１端板３１２，３１３と脚部３１４の付け根部には、第２カバー部材３２の開き角を一定に保持するための保持手段３５の一方を担う切欠部３５１が設けられている。
【００４２】
切欠部３５１は、各第１端板３１２，３１３の外縁から内側に向けてほぼＶ字状に切り欠かれた切欠溝からなり、この切欠部３５１の頂部３５１ａに後述する第２端板３２２，３２３の周縁に形成された保持リブ３５２の先端３５２ａが当接することにより、第２カバー部材３２がほぼ９０°の開き角で保持される。
【００４３】
図１０に示すように、第１カバー部材３２の底部に設けられた脚部３１４は、被設置面に対してほぼ平行な脚面３１８を有する立体台形状に形成されており、脚面３１８には、この粘着式清掃具１を商品陳列する際に吊下陳列するための吊下部３４（吊下手段）が設けられている。
【００４４】
この実施形態において、吊下部３４は、脚面３１８の一部をコ字状に切り欠き、脚面３１８に対してほぼ垂直に引き起こし可能な切欠片３４１からなり、この切欠片３４１の切欠孔に図外の陳列棚のフック棒を差し込むことにより、逆様とした状態で吊下陳列することができる。
【００４５】
この実施形態において、吊下部３４は、コ字状に切り欠かれているが、Ｌ字状であってもよく、吊下陳列することができるものであれば、適宜仕様変更可能である。
【００４６】
これによれば、保管用カバー全体を専用に成型された陳列用カバーで覆って陳列する必要はなく、使用方法などを印刷した単なる化粧フィルムなどを被せるだけで良く、陳列用カバーを用いない分、製造コストを安く抑えられる。
【００４７】
この第１カバー部材３１の開口部３００に対して第２カバー部材３２が開閉可能に取り付けられる。第２カバー部材３２は、粘着テープロール４の粘着面に沿って半円弧状に形成された第２保護板３２１と、第２保護板３２１の両端を塞ぐように半円状に一体に形成された一対の第２端板３２２，３２３とを備え、全体が雨樋状に形成されている。
【００４８】
第２保護板３２１の内周面には、粘着テープロール４の粘着面の貼り付きを防止するためのリブ３２５が軸方向に所定間隔もって複数、この実施形態では４カ所立設されている。
【００４９】
図９（ａ）に示すように、第２保護板３２１は、第２カバー部材３２を閉じた際に一端側が第１保護板３１１の内周面の一部と重なり合うように第１保護板３１１の内周面に沿って張り出されており、他端側が支持部３３の第１支持板３３１と互いに平行に立設する第２支持板３３２としてほぼ直角に折り曲げられている。
【００５０】
この実施形態において、第２支持板３３２の支持シャフト２２との当接部分付近、この実施形態では中央部は、他の部分よりも高く形成されており、これによれば、支持シャフト２２を傾けた際に、テコの原理によって第２カバー部材３２を小さな力で開くことができる。
【００５１】
各第２端板３２２，３２３には、他方の軸支手段としての回転軸３２６がそれぞれ相対位置に突設されており、この各回転軸３２６が第１カバー部材３１の各軸受孔３１６に取り付けられる。
【００５２】
各第２端板３２２，３２３の外周面には、上述した凸部３１７に係合される凹部３２７が互いに相対位置に設けられている。
【００５３】
各第２端板３２２，３２３の外周縁には、各第１端板３１２，３１３の外縁に沿って当接する保持リブ３５２が形成されている。保持リブ３５２は、上述した各第１端板３１２，３１３の切欠部３５１の頂部３５１ａに対して、その先端３５２ａが当接することにより、第２カバー部材３２が約９０°の開き角で保持される。
【００５４】
上述したように各カバー部材３１，３２の突き合わせ面には、支持シャフト２２を挟み込んで支持する第１および第２支持板３３１，３３２が形成されているが、図３に示すように、支持部３３にはさらに、各カバー部材３１，３２が互いに向き合った際に支持シャフト２２を下側から支持する第１支持リブ３３３および第２支持リブ３３４とが設けられている。
【００５５】
各支持リブ３３３，３３４は、各支持板３３１，３３２と各保護板３１１，３２１との折曲部付近から互いに離反する方向に向けて突設された板リブからなり、各支持リブ３３３，３３４の突き合わせ面のほぼ中央には、コ字状に切り欠かれた切欠部３３５，３３５が形成されている。
【００５６】
切欠部３３５は、各カバー部材３１，３２が閉じた際にそれらが互いに連結して１つの引出孔を形成し、この引出孔から支持シャフト２２の一部が保管用カバー３０の外に引き出される。
【００５７】
次に、本発明の粘着式清掃具１の使用手順について図８を参照して説明する。まず、清掃具本体２を保管用カバー３０から取り出すに当たっては、図８の直立状態にある清掃具本体２のグリップ部２３を手で把持して、支持シャフト２２を第２カバー部材３２の開方向（図８中では右方向）に軽く傾ける。
【００５８】
支持シャフト２２を傾けることにより、その一部が支持部３３の第２支持板３３２を押圧する。このとき、第２支持板３３２は、当接部分が他の部分と比較して高く形成されているため、テコの原理によって、より小さい力で第２カバー部材３２を開くことできる。
【００５９】
清掃具本体２の使用後は、清掃具本体２に装着された粘着テープロール４で第２カバー部材３２の第２保護板３２１の先端側、すなわち反第２支持板３３２側に押し付ける。
【００６０】
粘着テープロール４を第２保護板３２１に押し付けると、第２保護板３２１は回転軸３１６を中心に回転し、第２支持板３３２側が持ち上げられる。このとき、若干勢いを付けて粘着テープロール４を押し付けることにより、第２支持板３２２側がよりスムーズに立ち上がり、各端板３１２，３１３（３２２，３２３）間に設けられて凸部３１７および凹部３２７が確実に係合され、支持シャフト２２の移動が拘束される。
【００６１】
このとき、各保護板３１１，３２１内には、保護リブ３１５，３２５が突設されているため、保護板３１１，３２１の内面に粘着面が付着せず、次回使用する時も無理なくワンタッチで開くことができる。
【００６２】
【発明の効果】
以上説明したように、本発明によれば、粘着テープロールを回転可能に支持する清掃具本体と、同清掃具本体に対して着脱自在に取り付けられる保管用カバーとを備え、保管用カバーは、所定の設置面上に自立した状態で載置される脚部を有する第１カバー部材と、第１カバー部材に対して開閉可能に取り付けられる第２カバー部材とを有し、第１カバー部材および第２カバー部材が、所定の軸支手段によって開閉可能に設けられていることにより、清掃具本体の取出時には、十分な取出スペースが確保されるとともに、清掃具本体の収納時には、粘着テープロールを第２カバー部材の一部に押し当てることで、ワンタッチで清掃具本体を保管用カバーに収納することができる。
【００６３】
また、各カバー部材の内面には、リブが所定間隔で複数設けられていることにより、収納時に第２カバー部材に押し当てた粘着テープロールの粘着面が各カバー部材の内面に付着しない。
【００６４】
さらに、保管用カバーの底部には、商品展示用の吊下手段が一体に設けられていることにより、出荷時に保管用カバーを覆う化粧カバーを簡素化することができ、より安価に製造することができる。
【図面の簡単な説明】
【図１】本発明の一実施形態に係る粘着式清掃具の保管用カバーの正面図。
【図２】上記保管用カバーの背面図。
【図３】上記保管用カバーの平面図。
【図４】上記保管用カバーの底面図。
【図５】上記保管用カバーの左側面図。
【図６】上記粘着式清掃具の斜視図。
【図７】保管用カバーから清掃具本体を取り出した状態の分解斜視図。
【図８】第２カバー部材の開閉動作を説明する説明図。
【図９】第２カバー部材の回転軸の配置を説明する説明図。
【図１０】保管用カバーの底部に設けられた吊下手段を説明する斜視図。
【図１１】従来の粘着式清掃具の斜視図および分解部分断面図。
【符号の説明】
１，１０　粘着式清掃具
２　清掃具本体
２１　テープ支持部
２２　支持シャフト
２３　グリップ部
３０　保管用カバー
３００　開口部
３１　第１カバー部材
３１１　第１保護板
３１２，３１３　第１端板
３１４　脚部
３１５　リブ
３１６　軸受孔
３１７　凸部
３１８　脚面
３２　第２カバー部材
３２１　第２保護板
３２２，３２３　第２端板
３２５　リブ
３２６　回転軸
３２７　凹部
３３　支持部
３３１　第１支持板
３３２　第２支持板
３３３　第１支持リブ
３３４　第２支持リブ
３３５　切欠部
３４　吊下部
３４１　切欠片
３５　保持部
３５１　切欠部
３５２　保持リブ
４　粘着テープロール
【図１】
2004073562.tif 000003
【図２】
2004073562.tif 000004
【図３】
2004073562.tif 000005
【図４】
2004073562.tif 000006
【図５】
2004073562.tif 000007
【図６】
2004073562.tif 000008
【図７】
2004073562.tif 000009
【図８】
2004073562.tif 000010
【図９】
2004073562.tif 000011
【図１０】
2004073562.tif 000012
【図１１】
2004073562.tif 000013